(57)【要約】  ＣＰＵ４は、スイッチＳ１を開路した時に電圧測定回路３が測定した電圧Ｖｍ（直流電源２の第１の測定電圧）および電流測定回路７が測定した電流Ｉｓｅｎｃｅ（第１の電流）から測定した第１の電流値と、スイッチＳ１を閉路した時に電圧測定回路３が測定した電圧Ｖｍ（直流電源２の第２の測定電圧）および電流測定回路７が測定した電流Ｉｓｅｎｃｅ（第２の電流）から測定した第２の電流値とを用いて直流電源２の絶縁抵抗値を算出するが、前記第１および第２の電流値を測定する測定時間を決めるスイッチＳ１を開閉させる時間間隔を、電流測定回路７が測定した第１および第２の電流の変化量に応じて可変設定する。
2012098677.tif 000002
【特許請求の範囲】
【請求項１】
複数の電源ユニットが直並列接続されて構成される直流電源の出力電圧の中間電位を分圧生成する分圧回路であって該中間電位生成端が回路グランドに接続される分圧回路と、
前記分圧回路の分圧比を第１の値と第２の値とに変化させるための分圧比変化手段と、前記直流電源の出力電圧を測定する電圧測定手段と、大地に接続されるアース端子から前記分圧回路の中間電位生成端に至る経路に配置される地絡保護用抵抗器を流れる電流を測定する電流測定手段と、前記分圧比変化手段に前記分圧回路の分圧比を第１の値に設定させたときに前記電圧測定手段が測定した前記直流電源の第１の測定電圧および前記電流測定手段が測定した第１の電流から測定した第１の電流値と、前記分圧比変化手段に前記分圧回路の分圧比を第２の値に設定させたときに前記電圧測定手段が測定した前記直流電源の第２の測定電圧および前記電流測定手段が測定した第２の電流から測定した第２の電流値とを用いて前記直流電源の絶縁抵抗値である前記アース端子と前記直流電源内の地絡電圧点との間に形成される地絡抵抗成分の値を算出する絶縁抵抗算出制御手段とを備え、
前記絶縁抵抗算出制御手段は、前記第１および第２の電流値を測定する測定時間を決める前記分圧比変化手段に前記分圧回路の分圧比を第１の値と第２の値とに変化させる時間間隔を、前記電流測定手段が測定した第１および第２の電流の変化量に応じて可変設定することを特徴とする絶縁抵抗検知回路。
【請求項２】
前記絶縁抵抗算出制御手段は、
前記分圧比変化手段に前記分圧回路の分圧比を第１の値と第２の値とに変化させる時間間隔を、前記電流測定手段が測定した第１および第２の電流が安定したとみなさせる所定の変化率となる時点で前記第１および第２の電流値を測定できるように設定する
ことを特徴とする請求項１に記載の絶縁抵抗検知回路。
【請求項３】
前記絶縁抵抗算出制御手段は、
前記分圧比変化手段に前記分圧回路の分圧比を第１の値と第２の値とに変化させる時間間隔を、前記電流測定手段が測定した第１および第２の電流が大きな変化率で変化している時間内で前記第１および第２の電流値を測定できるように設定する
ことを特徴とする請求項１に記載の絶縁抵抗検知回路。
【請求項４】
前記絶縁抵抗算出制御手段は、
前記電流測定手段が測定した第１の電流値と第２の電流値との差分を用いて前記電流測定手段内の増幅器のオフセット誤差を軽減する処理を行う
ことを特徴とする請求項１に記載の絶縁抵抗検知回路。
【請求項５】
前記アース端子と前記直流電源内の地絡電圧点との間に形成される地絡抵抗成分が無限大である場合に、前記直流電源の対地浮遊容量に流れる突入電流ピーク値または当該絶縁抵抗検知回路内に設けられる雑音防止用コンデンサに流れる突入電流ピーク値とその後の定常値とを用いて故障自己診断を実施する故障自己診断手段
をさらに備えることを特徴とする請求項１に記載の絶縁抵抗検知回路。
【発明の詳細な説明】
【技術分野】
【０００１】
本発明は、複数の電源ユニットが直並列接続されて構成される直流電源の絶縁抵抗を測定する絶縁抵抗検知回路に関するものである。
【背景技術】
【０００２】
複数の電源ユニットが直並列接続されて構成される直流電源としては、太陽電池や燃料電池などが知られている。そのような直流電源を用いて交流電力を発生するシステムは、直流電源と電力変換装置（パワーコンディショナー）とを組み合わせて構成されるので、安全性確保の観点からシステムとして満たすべき絶縁抵抗規格において、個々の構成要素が満たすべき絶縁抵抗値が定められている。【０００３】
パワーコンディショナーとしては、変換した交流電力を、絶縁変圧器を介在させず、直接負荷へ供給する非絶縁型パワーコンディショナーが、安価に電力変換効率を向上できる特徴を有していることから、広く利用されている。この非絶縁型パワーコンディショナーを用いるシステムでは、電力発生側と負荷側との間に絶縁手段である絶縁変圧器がないので、非絶縁型パワーコンディショナーにおいて、入力直流電源での絶縁抵抗劣化が負荷に影響を与えないようにする措置を講ずることが要求されている。以下、理解を容易にするため、太陽光発電システムを例に挙げて説明する。【０００４】
太陽光発電システムで使用される太陽電池は、複数の太陽電池モジュールを直並列に接続して構成される。個々の太陽電池モジュールの対地絶縁抵抗値は、非常に高抵抗（例えば１０００ＭΩ）であるが、その太陽電池モジュールが例えば１００枚直並列接続された場合の対地絶縁抵抗値は１０ＭΩに低下する。太陽電池モジュールの漏れ電流は面積に比例するので、太陽電池モジュールの個数を大幅に増やして大容量化した太陽電池の総合絶縁抵抗は大きく低下する。そのため、大容量化した太陽光発電システムでは、正常な太陽電池モジュールであっても、総合絶縁抵抗が低下し、太陽光発電システムに要求される絶縁抵抗規格に対する動作安全率が低下する。【０００５】
そのため、太陽光発電システムでは、配電系統への系統連系機器として使用される非絶縁型パワーコンディショナーにおいて、変換した交流電力を配電系統へ連系する前に、直流電源である太陽電池の絶縁抵抗がシステムとして要求される所定値以上であるか否かを自己診断する機能を備える必要がある。【０００６】
本発明が対象とする絶縁抵抗検知回路は、複数の電源ユニットが直並列に接続されて構成される直流電源を変換対象とする非絶縁型パワーコンディショナーにおいて、上記した自己診断を実行する際に、該直流電源の絶縁抵抗を測定する回路である。複数の電源ユニットが直並列に接続されている直流電源においては、地絡する箇所は任意の電圧点で生ずるので、絶縁抵抗検知回路に対しては、地絡する電圧点に関わらず地絡抵抗を測定できることが要求される。【０００７】
この地絡抵抗を測定する方法としては、例えば特許文献１に提案されている方法が参考になる。すなわち、特許文献１では、不明点を補足すれば、地絡抵抗測定での未知数は、絶縁抵抗が劣化した地絡電圧点と絶縁抵抗値との２つであることから、絶縁抵抗測定電圧を２電圧で測定し、地絡抵抗の未知数を求める構成例が提案されていると言える。
【先行技術文献】
【特許文献】
【０００８】
【特許文献１】国際公開第２００４／０９３２８４号
【発明の概要】
【発明が解決しようとする課題】
【０００９】
絶縁抵抗検知回路は、地絡する電圧点に関わらず地絡抵抗を測定することを目的としているが、その測定精度を確保し高めるためには、回路構成の工夫の他に、測定時間の定め方も重要な要件である。この測定時間の定め方については、特許文献１では示されていない。【００１０】
まず、太陽電池モジュールは、モジュールフレームを一般には大地にアースするので、大地アースに対し太陽電池電源は浮遊容量が生じている。また、その対地浮遊容量が降雨時においては、太陽電池表面の水膜が導電性の大地電極化する事により大きく増加する。その結果として太陽電池の対地総合容量値は、接続する太陽電池モジュールの枚数や降雨により大きく増加することになる。したがって、太陽電池の絶縁抵抗を正確に測定するには、対地浮遊容量への最大充電時間を考慮した測定時間を設定する必要がある。【００１１】
また、太陽電池においては、一般的な起動となるのは、日の出の時間帯であるが、その日の出の時間帯においては発生電圧が大きく変化することから、発生電圧が安定するまでの待ち時間が必要となる。【００１２】
従来では、正確な測定を行うために、測定時間を長めに設定していたので、晴天での正常運転において、太陽電池の発生電圧が連系可能な電圧に達していても、速やかに系統連系することができず、発電システムとしての発電効率の低下を招来していた。【００１３】
本発明は、上記に鑑みてなされたものであり、複数の電源ユニットが直並列接続されて構成される直流電源の絶縁抵抗を、該直流電源の対地浮遊容量の変化や該直流電源の出力電圧の変化に容易に対応して正確に測定することができる絶縁抵抗検知回路を得ることを目的とする。
【課題を解決するための手段】
【００１４】
上述した課題を解決し、目的を達成するために、本発明は、複数の電源ユニットが直並列接続されて構成される直流電源の出力電圧の中間電位を分圧生成する分圧回路であって該中間電位生成端が回路グランドに接続される分圧回路と、前記分圧回路の分圧比を第１の値と第２の値とに変化させるための分圧比変化手段と、前記直流電源の出力電圧を測定する電圧測定手段と、大地に接続されるアース端子から前記分圧回路の中間電位生成端に至る経路に配置される地絡保護用抵抗器を流れる電流を測定する電流測定手段と、前記分圧比変化手段に前記分圧回路の分圧比を第１の値に設定させたときに前記電圧測定手段が測定した前記直流電源の第１の測定電圧および前記電流測定手段が測定した第１の電流から測定した第１の電流値と、前記分圧比変化手段に前記分圧回路の分圧比を第２の値に設定させたときに前記電圧測定手段が測定した前記直流電源の第２の測定電圧および前記電流測定手段が測定した第２の電流から測定した第２の電流値とを用いて前記直流電源の絶縁抵抗値である前記アース端子と前記直流電源内の地絡電圧点との間に形成される地絡抵抗成分の値を算出する絶縁抵抗算出制御手段とを備え、前記絶縁抵抗算出制御手段は、前記第１および第２の電流値を測定する測定時間を決める前記分圧比変化手段に前記分圧回路の分圧比を第１の値と第２の値とに変化させる時間間隔を、前記電流測定手段が測定した第１および第２の電流の変化量に応じて可変設定することを特徴とする。
【発明の効果】
【００１５】
本発明によれば、地絡電流の変化量に応じて測定時間を可変設定する構成としたので、複数の電源ユニットを直並列接続して構成される太陽電池等の直流電源の設置面積や降雨等の対地容量の各種変動や、該直流電源の電圧変動に対し、容易に対応して精度よく絶縁抵抗を測定することができるという効果を奏する。
【図面の簡単な説明】
【００１６】
【図１】図１は、本発明の一実施例による絶縁抵抗検知回路の構成を示す概念回路図である。
【図２】図２は、図１に示す絶縁抵抗検知回路に対地浮遊容量等を追加した回路図である。
【図３】図３は、図１に示す絶縁抵抗検知回路の具体的な構成例を示す回路図である。
【図４】図４は、対地浮遊容量による測定電流変化の測定例（その１）を示す波形図である。
【図５】図５は、対地浮遊容量による測定電流変化の測定例（その２）を示す波形図である。
【発明を実施するための形態】
【００１７】
以下に、本発明にかかる絶縁抵抗検知回路の実施例を図面に基づいて詳細に説明する。なお、この実施例によりこの発明が限定されるものではない。
【００１８】
図１は、本発明の一実施例による絶縁抵抗検知回路の構成を示す概念回路図である。図２は、図１に示す絶縁抵抗検知回路に対地浮遊容量等を追加した回路図である。図３は、図１に示す絶縁抵抗検知回路の具体的な構成例を示す回路図である。
【００１９】
図１において、絶縁抵抗検知回路１は、直流電源２の正極端（＋）と負極端（−）との間に並列に接続された、電圧測定回路３と、分圧用抵抗器Ｒ１，Ｒ２による分圧回路とを備えている。分圧用抵抗器Ｒ１，Ｒ２の共通接続端５は、回路グランドＧＮＤに接続されている。
【００２０】
そして、図１では、直流電源２の正極端（＋）と共通接続端５との間に、つまり分圧用抵抗器Ｒ１に並列に，電圧変更用抵抗器Ｒ３とスイッチＳ１との直列回路が接続されている。スイッチＳ１は、制御回路（ＣＰＵ）４により開閉制御される。これによって、分圧回路の分圧比が、スイッチＳ１が開路している時と閉路している時とで異なる値となる。スイッチＳ１が開路している時の分圧比を第１の値とし、閉路している時の分圧比を第２の値とすれば、共通接続端５の電位は、スイッチＳ１が開路している時の電位（直流電源２の第１の電位）とスイッチＳ１が閉路している時の電位（直流電源２の第２の電位）との間で変化する。電圧測定回路３は、直流電源２の出力電圧値を変換し電圧ＶｍとしてＣＰＵ４へ出力する。
【００２１】
すなわち、電圧変更用抵抗器Ｒ３とスイッチＳ１の直列回路は、分圧回路の分圧比を変化させる分圧比変化手段を構成している。電圧変更用抵抗器Ｒ３とスイッチＳ１との直列回路は、直流電源２の負極端（−）と共通接続端５との間に設けるなどのその他分圧方法でもよい。
【００２２】
大地Ｅａｒｔｈに接続されるアース端子６と共通接続端５との間に、地絡保護用抵抗器Ｒｓａｆｅ、電圧変換用抵抗器Ｒｓｅｎｃｅ、零点調整用抵抗器Ｒｂｉａｓがこの順に挿入されている。地絡保護用抵抗器Ｒｓａｆｅは、電子回路と大地Ｅａｒｔｈとの間に要求される絶縁性能を確保するためのもので、一般に１０ＭΩ程度の高抵抗に設定される。
【００２３】
電圧変換用抵抗器Ｒｓｅｎｃｅは、当該絶縁抵抗検知回路１からアース端子６を介して大地Ｅａｒｔｈに向かって流れる電流（つまり、地絡保護用抵抗器Ｒｓａｆｅを流れる電流）を電圧変換する。電圧変換用抵抗器Ｒｓｅｎｃｅの両端電圧は、演算増幅器ＡＭＰにて増幅され、測定電流ＩｓｅｎｃｅとしてＣＰＵ４に入力される。抵抗器Ｒｂｉａｓおよび並列に接続される基準電源Ｖｂｉａｓは、演算増幅器ＡＭＰにおいて電流測定用の零点を調節するために設けられている。すなわち、演算増幅器ＡＭＰ、電圧変換用抵抗器Ｒｓｅｎｃｅ、零点調整用抵抗器Ｒｂｉａｓおよび基準電源Ｖｂｉａｓの全体は、電流測定回路７を構成している。
【００２４】
直流電源２は、複数の電源ユニットを直並列接続して構成されるが、図１では、その一例として太陽電池を示してある。太陽電池は、複数の太陽電池モジュールＶｙ１，Ｖｙ２、Ｖｘの直列接続体である。図１では、地絡が生じた地絡電圧点８とアース端子６との間を流れる地絡電流の経路に地絡抵抗成分Ｒｘが生成され、太陽電池モジュールＶｘの出力電圧Ｖｘが地絡電圧Ｖｘとなるとしている。
【００２５】
次に、図２では、図１に示した構成において、電流測定回路７を簡潔に示してあるが、直流電源（太陽電池）２の対地浮遊容量Ｃｘ，Ｃｙが追加され、また、回路の雑音防止コンデンサＣｅｍｃが追加されている。対地浮遊容量Ｃｘ，Ｃｙや雑音防止コンデンサＣｅｍｃの静電容量は非常に大きい。
【００２６】
次に、図３では、電圧測定回路３が演算増幅器ＯＰ３で構成でき、スイッチＳ１がトランジスタで構成できることが示され、電流測定回路７の具体的な構成例が示されている。また、直流電源（太陽電池）２は、太陽電池モジュールＶｙ１，Ｖｙ２が太陽電池モジュールＶｙとまとめられ、太陽電池モジュールＶｘと太陽電池モジュールＶｙとの間の地絡電圧点８で地絡が生じたとしている。
【００２７】
演算増幅器ＯＰ３は、絶縁抵抗測定中の直流電源（太陽電池）２の出力電圧を電圧ＶｍとしてＣＰＵ４へ出力する。
【００２８】
電流測定回路７では、電流測定用の演算増幅器ＡＭＰが電圧フォロワ構成の演算増幅器ＯＰ１と負帰還増幅器構成の演算増幅器ＯＰ２とにより構成され、零点調整用抵抗器Ｒｂｉａｓが抵抗器ＲＢ１〜ＲＢ４により構成され、それらに基準電源Ｖｂｉａｓが接続されている。
【００２９】
以下、図１、図２、図４、図５を参照して、地絡保護用抵抗器Ｒｓａｆｅを流れる電流Ｉｓｅｎｃｅを測定して、直流電源２の絶縁抵抗である地絡抵抗成分Ｒｘを測定する動作について説明する。図４と図５は、対地浮遊容量による測定電流変化の測定例を示す波形図である。図４と図５において縦軸は、電圧変換用抵抗器Ｒｓｅｎｃｅによる変換電圧である。なお、式の導出で用いる「値」には、各要素の識別符号を用いる。
【００３０】
図１において、直流電源２の出力電圧（Ｖｘ＋Ｖｙ１＋Ｖｙ２）は、当該絶縁抵抗検知回路１の入力直流電圧である。直流電源２の電圧は、電圧Ｖｍとして電圧測定回路３にて測定され、ＣＰＵ４へ入力される。また、地絡保護用抵抗器Ｒｓａｆｅを流れる電流Ｉｓｅｎｃｅは、電流測定回路７にて測定され、ＣＰＵ４へ入力される。
【００３１】
ＣＰＵ４は、スイッチＳ１を開路した時および閉路した時に入力される電圧Ｖｍおよび電流Ｉｓｅｎｃｅをそれぞれサンプリングしてデジタル化し、それらに基づき地絡抵抗値Ｒｘおよび地絡電圧Ｖｘを算出する。但し、説明を容易にするため、ここでは、地絡抵抗値Ｒｘの算出方法を示す。なお、地絡抵抗値Ｒｘの算出においては、電流測定回路７のインピーダンスは、地絡保護用抵抗器Ｒｓａｆｅの抵抗値Ｒｓａｆｅよりも極めて小さいので、無視できる値となる。
【００３２】
スイッチＳ１を開路して電圧変更用抵抗器Ｒ３を開放した時の電流Ｉｓｅｎｃｅ１は、測定中の直流電源出力電圧をＶｍ１とすれば、式（１）で示される。
Ｉｓｅｎｃｅ１＝（Ｖｍ１−Ｖｘ）
／｛Ｒｘ＋Ｒｓａｆｅ＋Ｒ１×Ｒ２／（Ｒ１＋Ｒ２）｝  …（１）
【００３３】
また、スイッチＳ１を閉路して電圧変更用抵抗器Ｒ３を分圧用抵抗器Ｒ１に並列接続した時の電流Ｉｓｅｎｃｅ２は、測定中の直流電源出力電圧をＶｍ２とすれば、同様に式（２）で示される。
Ｉｓｅｎｃｅ２＝（Ｖｍ２−Ｖｘ）
／｛Ｒｘ＋Ｒｓａｆｅ＋Ｒ１×Ｒ２×Ｒ３／（Ｒ１Ｒ３＋Ｒ１Ｒ２＋Ｒ２Ｒ３）｝    …（２）
【００３４】
式を説明するために、測定中の直流電源出力測定値Ｖｍ１とＶｍ２は、短時間の測定間隔である事から、Ｖｍ１≒Ｖｍ２となり、以下ではＶｍとして表現する。また、式（１）における固定値「Ｒｓａｆｅ＋Ｒ１×Ｒ２／（Ｒ１＋Ｒ２）」をＣ１とし、式（２）における固定値「Ｒ１×Ｒ２×Ｒ３／（Ｒ１Ｒ３＋Ｒ１Ｒ２＋Ｒ２Ｒ３）」をＣ２とすると式（１）、式（２）は、
Ｉｓｅｎｃｅ１＝（Ｖｍ−Ｖｘ）／（Ｒｘ＋Ｃ１）  …（３）
Ｉｓｅｎｃｅ２＝（Ｖｍ−Ｖｘ）／（Ｒｘ＋Ｃ２）  …（４）
となる。
【００３５】
式（３）、式（４）から、
Ｉｓｅｎｃｅ１×（Ｒｘ＋Ｃ１）＝Ｉｓｅｎｃｅ２×（Ｒｘ＋Ｃ２）  …（５）
であるので、地絡抵抗値Ｒｘは、
Ｒｘ＝（Ｉｓｅｎｃｅ２×Ｃ２−Ｉｓｅｎｃｅ１×Ｃ１）
／（Ｉｓｅｎｃｅ１−Ｉｓｅｎｃｅ２）  …（６）
と求められる。
【００３６】
すなわち、ＣＰＵ４は、スイッチＳ１を所定の時間間隔で開閉し、電流測定回路７から入力される、スイッチＳ１を開路した時の電流Ｉｓｅｎｃｅ１と、スイッチＳ１を閉路した時の電流Ｉｓｅｎｃｅ２とをそれぞれ測定して取り込み、式（６）に適用して地絡抵抗値Ｒｘを求め、求めた地絡抵抗値Ｒｘと絶縁抵抗規格に対して定められた絶縁抵抗判定レベルとを比較する。これによって、直流電源出力電圧および地絡電位に関わらずに絶縁抵抗の良否を判定することが可能となる。
【００３７】
ここで、地絡抵抗値Ｒｘの測定では、ＣＰＵ４が入力される電流Ｉｓｅｎｃｅを測定する精度の影響を受ける。実際には図２に示すように、対地浮遊容量Ｃｙ，Ｃｘや回路の雑音防止コンデンサＣｅｍｃが存在し、高抵抗の地絡保護用抵抗器Ｒｓａｆｅが存在するので、電流Ｉｓｅｎｃｅは充放電電流として測定される。つまり、充電が飽和する前の電流Ｉｓｅｎｃｅの値を測定したのでは、地絡抵抗値Ｒｘの測定精度はよくない。
【００３８】
しかし、対地浮遊容量Ｃｙ，Ｃｘは、一定値ではなく、晴天時や降雨時などによって異なる。また、太陽電池の絶縁抵抗は、一定値ではなく、太陽電池の規模によって異なる。そこで、ＣＰＵ４は、スイッチＳ１を開閉する時間間隔、つまり電流Ｉｓｅｎｃｅの値を確定して取り込む測定時間を一定の固定時間とするのではなく、電流Ｉｓｅｎｃｅの変化量に応じて測定時間を可変するようになっている。これには、２つの測定方法がある。
【００３９】
＜第１の測定方法＞
ＣＰＵ４は、スイッチＳ１を開路させたときに入力される電流Ｉｓｅｎｃｅ１の変化量を測定し、その電流変化が安定した時点での電流値を確定し、スイッチＳ１を閉路させ、同じ時間内において電流Ｉｓｅｎｃｅ２の変化量を測定し、その電流変化が安定した時点での電流値を確定する。図５では、スイッチＳ１を６秒の間隔で開閉した場合の対地浮遊容量による測定電流変化の測定例が示されている。
【００４０】
この測定方法によれば、最適な測定時間を設定できるので、測定精度が高くなる。測定精度が向上するので、絶縁抵抗判定レベルは、絶縁抵抗規格に対して余裕を設ける必要性がなくなる。したがって、太陽電池の面積が増加した場合において生ずる総合絶縁抵抗の低下に対しても、絶縁抵抗規格に対して余裕を設けてない絶縁抵抗判定レベルを適用するので、より安定した測定動作が可能になる。また、電流Ｉｓｅｎｃｅが安定した時点を監視するので、雨天時などにおいて、太陽電池の対地容量が増加した場合でも、測定時間は自動的に延長されることになり、誤判定を防ぐことが可能になる。
【００４１】
具体的には、次のように測定を複数回行う方法が可能である。
スイッチＳ１を開路させたときに入力される電流Ｉｓｅｎｃｅ１のピーク電流を記憶し継続して電流値を測定し、電流の変化率が所定以下に達した時点での電流値を記憶する。次に、スイッチＳ１を閉路させ、Ｓ１開路時と同じ待機時間において電流Ｉｓｅｎｃｅ２のピーク電流を記憶し継続して電流値を測定し、同じ経過時間での電流値を記憶する。
【００４２】
この１回目で用いる変化率は、絶縁抵抗検知を最短で判定できるようにするため、晴天時における静電容量並びに正常な絶縁抵抗値ならば高確度で合格するレベルに設定する。安定した時点での電流値は式（６）に適用し、絶縁抵抗値の合否判定に用いるが、電流Ｉｓｅｎｃｅ１のピーク電流と電流Ｉｓｅｎｃｅ２のピーク電流との差分が所定値以上でない場合は、当該絶縁抵抗検知回路１の故障と判断し、故障処理モードへ移行する。
【００４３】
なお、地絡抵抗値Ｒｘを求める式（６）においては電流Ｉｓｅｎｃｅ１と電流Ｉｓｅｎｃｅ２との差分が主要なパラメータであることから、電流の差分を測定する構成とすることにより電流測定回路７で使用される増幅器のオフセット誤差を軽減することができる。すなわち、より精度の高い絶縁抵抗検知が実現できる。
【００４４】
上記の１回目の判定にて絶縁抵抗値合格並びに絶縁抵抗検知回路１が正常であれば、パワーコンディショナーは系統連系を行って変換した交流電力を配電系統へ送出することを開始する。一方、絶縁抵抗値不合格時においては、直ちに絶縁抵抗不良とは判定せずに、再度、２回目の絶縁抵抗検知測定へ移行する。２回目の測定では、電流変化率の判定値を１回目測定よりも小さい値とし、システム仕様での最大設置太陽電池モジュール枚数に加えて、雨天時の浮遊容量においてもシステム要求の絶縁抵抗値以上であれば合格する電流変化率に設定する。なお、測定中に入力電圧が変化し、Ｖｍ１とＶｍ２とが等しくない場合に備えて、予め測定誤差として許容レベル内であるか否の電圧変動判定値をシミュレーション結果等にて用意しておけば、電圧変動が所定値以下に収まるまで、絶縁抵抗検知を繰り返すこともできる。
【００４５】
＜第２の測定方法＞
電流Ｉｓｅｎｃｅ１の変化量が安定する前にスイッチＳ１を反転し、電流Ｉｓｅｎｃｅ２も同様に測定した場合は、対地容量への充電電流が加算されるので、地絡電流は大きくなり、推定する絶縁抵抗値は実際よりも小さくなる。しかし、正常な状態の直流電源２においては、絶縁抵抗判定レベルに対して余裕があるので、地絡抵抗を判定する場合において、短時間にスイッチＳ１を反転させた場合でも、絶縁抵抗値が判定規格を満足していれば、要求する絶縁抵抗値を保証できる。
【００４６】
すなわち、例えば図４に示すように、スイッチＳ１の開閉周期を充電電流が変化している状態時間内に設定しても測定結果が要求規格以上の絶縁抵抗であればよいので、正確な絶縁抵抗を測定せずとも最短時間にて系統連係が可能となる。なお、この場合において、異常と判定した場合においては、順次判定時間を延長する方法や、上記した第１の測定方法へ移行するなど、高精度判定を実施することになる。
【００４７】
＜その他の動作例＞
式（６）において、「Ｉｓｅｎｃｅ１−Ｉｓｅｎｃｅ２＝０」となり地絡抵抗Ｒｘが無限大であっても、回路の雑音防止用コンデンサＣｅｍｃや直流電源２の対地浮遊容量Ｃｘ，Ｃｙに流れる突入電流ピーク値とその後の定常値とを用いることにより、絶縁抵抗検知回路１の故障自己診断を実施することも可能になる。
【００４８】
以上のように、この実施例によれば、地絡電流の変化量に応じて測定時間を可変設定する構成としたので、複数の電源ユニットを直並列接続して構成される太陽電池等の直流電源の設置面積や降雨等の対地容量の各種変動や、該直流電源の電圧変動に対し、容易に対応して精度よく絶縁抵抗を測定することができる。
【００４９】
絶縁性能が正常な場合は、自動的に測定時間が短くなるので、発生電力の利用を短時間に開始することが可能となる。
【００５０】
また、太陽電池を例に挙げて説明すれば、設置面積の増加などで、該太陽電池の電源容量が大きい場合は、各太陽電池パネルが正常にも関わらず総合漏れ電流は増加するので、正確な絶縁抵抗測定が必要となる。この場合、この実施例によれば、自動的に長時間測定での高精度測定を実施することができるので、最適な測定時間を得ることが可能となる。
【産業上の利用可能性】
【００５１】
以上のように、本発明にかかる絶縁抵抗検知回路は、複数の電源ユニットが直並列接続されて構成される直流電源の絶縁抵抗を、該直流電源の対地浮遊容量の変化や該直流電源の出力電圧の変化に容易に対応して正確に測定することができる絶縁抵抗検知回路として有用であり、特に、太陽光発電システムでの非絶縁型パワーコンディショナーに装備する絶縁抵抗検知回路として好適である。
【符号の説明】
【００５２】
１  絶縁抵抗検知回路
２  直流電源
３  電圧測定回路
４  制御回路（ＣＰＵ）
５  分圧用抵抗器Ｒ１，Ｒ２の共通接続端
６  大地に接続されるアース端子
７  電流測定回路
８  地絡電圧点
Ｖｘ，Ｖｙ（Ｖｙ１，Ｖｙ２）  太陽電池モジュール
Ｒｘ  地絡抵抗成分
Ｒ３  電圧変更用抵抗器
Ｓ１  スイッチ
ＯＰ３  電圧測定回路を構成する演算増幅器
Ｒｓａｆｅ  地絡保護用抵抗器
Ｒｓｅｎｃｅ  電流測定回路を構成する電圧変換用抵抗器
ＡＭＰ，ＯＰ１，ＯＰ２  電流測定回路を構成する演算増幅器
Ｒｂｉａｓ，ＲＢ１〜ＲＢ４  電流測定用の零点調整用抵抗器
Ｖｂｉａｓ  電流測定用の基準電源
【図１】
2012098677.tif 000003
【図２】
2012098677.tif 000004
【図３】
2012098677.tif 000005
【図４】
2012098677.tif 000006
【図５】
2012098677.tif 000007
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
複数の電源ユニットが直並列接続されて構成される直流電源の出力電圧の中間電位を分圧生成する分圧回路であって該中間電位生成端が回路グランドに接続される分圧回路と、
前記分圧回路の分圧比を第１の値と第２の値とに変化させるための分圧比変化手段と、
前記直流電源の出力電圧を測定する電圧測定手段と、
大地に接続されるアース端子から前記分圧回路の中間電位生成端に至る経路に配置される地絡保護用抵抗器を流れる電流を測定する電流測定手段と、
前記分圧比変化手段に前記分圧回路の分圧比を第１の値に設定させたときに前記電圧測定手段が測定した前記直流電源の第１の測定電圧および前記電流測定手段が測定した第１の電流から測定した第１の電流値と、前記分圧比変化手段に前記分圧回路の分圧比を第２の値に設定させたときに前記電圧測定手段が測定した前記直流電源の第２の測定電圧および前記電流測定手段が測定した第２の電流から測定した第２の電流値とを用いて前記直流電源の絶縁抵抗値である前記アース端子と前記直流電源内の地絡電圧点との間に形成される地絡抵抗成分の値を算出する絶縁抵抗算出制御手段とを備え、
前記絶縁抵抗算出制御手段は、前記分圧比変化手段に前記分圧回路の分圧比を第１の値と第２の値とに変化させる時間間隔を、前記電流測定手段が測定した第１の電流の変化率に応じて可変設定し、
前記分圧回路の分圧比が第１の値であるときには、前記第１の電流のピーク電流値及び前記第１の電流の変化率がしきい値以下に達した時点での電流値を記憶し、
前記分圧回路の分圧比が第２の値であるときには、前記第２の電流のピーク電流値及び前記分圧回路の分圧比が第１の値であるときに前記第１の電流の変化率がしきい値以下に達した時点と同じ経過時間での電流値を記憶し、
前記第１の変化率は、晴天時における対地浮遊容量の静電容量及び正常な絶縁抵抗値であれば高確度で合格する変化率であり、
前記第２の変化率は、前記第１の変化率よりも小さく、雨天時の浮遊容量においてもシステム要求の絶縁抵抗値以上であれば合格する変化率であることを特徴とする絶縁抵抗検知回路。
【請求項２】
前記絶縁抵抗算出制御手段は、
前記分圧比変化手段に前記分圧回路の分圧比を第１の値と第２の値とに変化させる時間間隔を、前記電流測定手段が測定した第１および第２の電流が安定したとみなさせる所定の変化率となる時点で前記第１および第２の電流値を測定できるように設定する
ことを特徴とする請求項１に記載の絶縁抵抗検知回路。 
【請求項３】
前記絶縁抵抗算出制御手段は、
前記分圧比変化手段に前記分圧回路の分圧比を第１の値と第２の値とに変化させる時間間隔を、前記電流測定手段が測定した第１および第２の電流が大きな変化率で変化している時間内で前記第１および第２の電流値を測定できるように設定する
ことを特徴とする請求項１に記載の絶縁抵抗検知回路。 
【請求項４】
前記絶縁抵抗算出制御手段は、
前記電流測定手段が測定した第１の電流値と第２の電流値との差分を用いて前記電流測定手段内の増幅器のオフセット誤差を軽減する処理を行う
ことを特徴とする請求項１に記載の絶縁抵抗検知回路。 
【請求項５】
前記アース端子と前記直流電源内の地絡電圧点との間に形成される地絡抵抗成分が無限大である場合に、前記直流電源の対地浮遊容量に流れる突入電流ピーク値または当該絶縁抵抗検知回路内に設けられる雑音防止用コンデンサに流れる突入電流ピーク値とその後の定常値とを用いて故障自己診断を実施する故障自己診断手段
をさらに備えることを特徴とする請求項１に記載の絶縁抵抗検知回路。
【手続補正２】
【補正対象書類名】明細書
【補正対象項目名】００１４
【補正方法】変更
【補正の内容】
【００１４】
上述した課題を解決し、目的を達成するために、本発明は、複数の電源ユニットが直並列接続されて構成される直流電源の出力電圧の中間電位を分圧生成する分圧回路であって該中間電位生成端が回路グランドに接続される分圧回路と、前記分圧回路の分圧比を第１の値と第２の値とに変化させるための分圧比変化手段と、前記直流電源の出力電圧を測定する電圧測定手段と、大地に接続されるアース端子から前記分圧回路の中間電位生成端に至る経路に配置される地絡保護用抵抗器を流れる電流を測定する電流測定手段と、前記分圧比変化手段に前記分圧回路の分圧比を第１の値に設定させたときに前記電圧測定手段が測定した前記直流電源の第１の測定電圧および前記電流測定手段が測定した第１の電流から測定した第１の電流値と、前記分圧比変化手段に前記分圧回路の分圧比を第２の値に設定させたときに前記電圧測定手段が測定した前記直流電源の第２の測定電圧および前記電流測定手段が測定した第２の電流から測定した第２の電流値とを用いて前記直流電源の絶縁抵抗値である前記アース端子と前記直流電源内の地絡電圧点との間に形成される地絡抵抗成分の値を算出する絶縁抵抗算出制御手段とを備え、前記絶縁抵抗算出制御手段は、前記分圧比変化手段に前記分圧回路の分圧比を第１の値と第２の値とに変化させる時間間隔を、前記電流測定手段が測定した第１の電流の変化率に応じて可変設定し、前記分圧回路の分圧比が第１の値であるときには、前記第１の電流のピーク電流値及び前記第１の電流の変化率がしきい値以下に達した時点での電流値を記憶し、前記分圧回路の分圧比が第２の値であるときには、前記第２の電流のピーク電流値及び前記分圧回路の分圧比が第１の値であるときに前記第１の電流の変化率がしきい値以下に達した時点と同じ経過時間での電流値を記憶し、前記第１の変化率は、晴天時における対地浮遊容量の静電容量及び正常な絶縁抵抗値であれば高確度で合格する変化率であり、前記第２の変化率は、前記第１の変化率よりも小さく、雨天時の浮遊容量においてもシステム要求の絶縁抵抗値以上であれば合格する変化率であることを特徴とする。
【手続補正３】
【補正対象書類名】明細書
【補正対象項目名】００３４
【補正方法】変更
【補正の内容】
【００３４】
式を説明するために、測定中の直流電源出力測定値Ｖｍ１とＶｍ２は、短時間の測定間隔である事から、Ｖｍ１≒Ｖｍ２となり、以下ではＶｍとして表現する。また、式（１）における固定値「Ｒｓａｆｅ＋Ｒ１×Ｒ２／（Ｒ１＋Ｒ２）」をＣ１とし、式（２）における固定値「Ｒｓａｆｅ＋Ｒ１×Ｒ２×Ｒ３／（Ｒ１Ｒ３＋Ｒ１Ｒ２＋Ｒ２Ｒ３）」をＣ２とすると式（１）、式（２）は、
Ｉｓｅｎｃｅ１＝（Ｖｍ−Ｖｘ）／（Ｒｘ＋Ｃ１）  …（３）
Ｉｓｅｎｃｅ２＝（Ｖｍ−Ｖｘ）／（Ｒｘ＋Ｃ２）  …（４）
となる。
【国際調査報告】
2012098677.tif 000008
2012098677.tif 000009
2012098677.tif 000010
2012098677.tif 000011